(57)【要約】【課題】本発明は、サイズの異なるセキュリティースロットに対応することのできる電子機器の盗難防止接続具を提供する。【解決手段】本発明に係る電子機器の盗難防止接続具１０は、電子機器のセキュリティースロット７０に装着される盗難防止接続具であって、第１ベース板２１の先端から突設された第１挿入片２２と、前記第１挿入片の先端で外向きに屈曲した第１爪２３を有する第１プレート２０と、第２ベース板３１の先端から突設された第２挿入片３２と、前記第２挿入片の先端で前記第１爪とは逆向きに屈曲した第２爪３３を有する第２プレート３０と、前記第１挿入片と前記第２挿入片の相対的な角度が調整可能となるように、前記第１ベース板と前記第２ベース板を回動可能に支持する支持軸４０と、前記第１プレートと前記第２プレートを、前記第１爪と前記第２爪の相対的な角度が異なる位置で位置決めする位置決め手段２５−２７，３５−３７と、を具える。【選択図】  図９
2019105109.tif 000002
【特許請求の範囲】
【請求項１】
電子機器のセキュリティースロットに装着される盗難防止接続具であって、
第１ベース板の先端から突設された第１挿入片と、前記第１挿入片の先端で外向きに屈曲した第１爪を有する第１プレートと、
第２ベース板の先端から突設された第２挿入片と、前記第２挿入片の先端で前記第１爪とは逆向きに屈曲した第２爪を有する第２プレートと、
前記第１挿入片と前記第２挿入片の相対的な角度が調整可能となるように、前記第１ベース板と前記第２ベース板を回動可能に支持する支持軸と、
前記第１プレートと前記第２プレートを、前記第１爪と前記第２爪の相対的な角度が異なる位置で位置決めする位置決め手段と、
を具える、
電子機器の盗難防止接続具。
【請求項２】
前記位置決め手段は、
前記第１ベース板に形成された少なくとも１の第１位置決め孔と、
前記第２ベース板に形成され、前記第１位置決め孔に重なる少なくとも１の第２位置決め孔である、
請求項１に記載の盗難防止接続具。
【請求項３】
前記第１位置決め孔及び前記第２位置決め孔はそれぞれ複数形成されており、
前記第１位置決め孔どうしの間隔と、前記第２位置決め孔どうしの間隔が異なる、
請求項２に記載の盗難防止接続具。
【請求項４】
何れか１の前記第１位置決め孔と何れか１の前記第２位置決め孔を位置合わせし、錠又はワイヤーを挿通させることにより、前記第１プレートと前記第２プレートは回動不能に固定される、
請求項２又は請求項３に記載の盗難防止接続具。
【発明の詳細な説明】
【技術分野】
【０００１】
本発明は、ノート型パソコン等の電子機器に形成されたセキュリティースロットに装着され、セキュリティーワイヤーを連結することのできる電子機器の盗難防止接続具に関するものである。
【背景技術】
【０００２】
ノート型パソコン、タブレット型端末、携帯電話機、スマートフォン等の小型の電子機器を盗難から守るために、一部の機器では、外装ケーシングに所謂セキュリティースロットが設けられている。セキュリティースロットには、盗難防止接続具を介してセキュリティーワイヤーが連結される。セキュリティーワイヤーは、柱や陳列台の脚などに外れないよう取り付けられることで、電子機器の持ち出しや盗難を防ぐようにしている。
【０００３】
たとえば、特許文献１では、電子機器に設けられたセキュリティースロットに装着する盗難防止接続具を提案している。盗難防止接続具は、先端がＴ字状の抜止め片と抜止め片に対してスライド可能な回止め片を具え、抜止め片をセキュリティースロットに挿入し、９０°回転させた状態で回止め片を挿入し、これらが相対的に移動しないようにセキュリティーワイヤーを挿通している。
【先行技術文献】
【特許文献】
【０００４】
【特許文献１】特許３５５９５０１号公報
【発明の概要】
【発明が解決しようとする課題】
【０００５】
盗難防止接続具が、好適にセキュリティースロットと係合するには、抜止め片と回止め片がセキュリティースロットのサイズに合致していることが必要である。しかしながら、セキュリティースロットのサイズは、４．５ｍｍ（開口幅）×３．２ｍｍ（開口高）、６ｍｍ（開口幅）×２．５ｍｍ（開口高）、７ｍｍ（開口幅）×３ｍｍ（開口高）など複数種類あり、サイズの小さいセキュリティースロットに盗難防止接続具は装着できず、また、サイズの大きいセキュリティースロットでは、盗難防止接続具が外れてしまうことになる。
【０００６】
本発明の目的は、サイズの異なるセキュリティースロットに対応することのできる電子機器の盗難防止接続具を提供することである。
【課題を解決するための手段】
【０００７】
本発明に係る電子機器の盗難防止接続具は、
電子機器のセキュリティースロットに装着される盗難防止接続具であって、
第１ベース板の先端から突設された第１挿入片と、前記第１挿入片の先端で外向きに屈曲した第１爪を有する第１プレートと、
第２ベース板の先端から突設された第２挿入片と、前記第２挿入片の先端で前記第１爪とは逆向きに屈曲した第２爪を有する第２プレートと、
前記第１挿入片と前記第２挿入片の相対的な角度が調整可能となるように、前記第１ベース板と前記第２ベース板を回動可能に支持する支持軸と、
前記第１プレートと前記第２プレートを、前記第１爪と前記第２爪の相対的な角度が異なる位置で位置決めする位置決め手段と、
を具える。
【０００８】
前記位置決め手段は、
前記第１ベース板に形成された少なくとも１の第１位置決め孔と、
前記第２ベース板に形成され、前記第１位置決め孔に重なる少なくとも１の第２位置決め孔である。
【０００９】
前記第１位置決め孔及び前記第２位置決め孔はそれぞれ複数形成されており、
前記第１位置決め孔どうしの間隔と、前記第２位置決め孔どうしの間隔が異なる。
【００１０】
何れか１の前記第１位置決め孔と何れか１の前記第２位置決め孔を位置合わせし、錠又はセキュリティーワイヤーを挿通させることにより、前記第１プレートと前記第２プレートは回動不能に固定される。
【発明の効果】
【００１１】
本発明に係る電子機器の盗難防止接続具によれば、第１挿入片と第２挿入片は、相対的な角度が異なる位置で固定することができる。従って、セキュリティースロットのサイズ（開口幅）が異なる場合であっても、セキュリティースロットに第１爪と第２爪を引っ掛けて固定することができる。
【図面の簡単な説明】
【００１２】
【図１】図１は、本発明の一実施形態に係る盗難防止接続具の斜視図である。
【図２】図２は、盗難防止接続具の正面図である。
【図３】図３は、盗難防止接続具の右側面図である。
【図４】図４は、盗難防止接続具の平面図である。
【図５】図５は、盗難防止接続具の分解斜視図である。
【図６】図６は、電子機器に関連するケーブルを挿入、離脱する状態を示す盗難防止接続具の正面図である。
【図７】図７は、第１挿入片と第２挿入片の外法を小さくした状態を示す盗難防止接続具の図である。
【図８】図８は、第１−１位置決め孔と第２−１位置決め孔を整列させ、最も開口幅の狭いセキュリティースロットに挿入可能とした状態を示す盗難防止接続具の図である。
【図９】図９は、開口幅の最も広いセキュリティースロットに盗難防止接続具を挿入し固定した状態を示す図である。
【図１０】図１０は、開口幅が中間のセキュリティースロットに盗難防止接続具を挿入し固定した状態を示す図である。
【発明を実施するための形態】
【００１３】
図面を参照しながら、本発明に係る盗難防止接続具１０（セキュリティーロック）について説明を行なう。以下では、盗難防止接続具１０は、３種類の開口幅４．５ｍｍ、６ｍｍ、７ｍｍのセキュリティースロット７０に対応可能なものを例示するが、異なる開口幅、種類数に対応するよう構成することもできる。
【００１４】
図１乃至図５は、本発明の一実施形態に係る盗難防止接続具１０を示している。図１は盗難防止接続具１０を斜め前方から見た斜視図であって、図２は正面図、図３は右側面図、図４は平面図、図５は分解斜視図である。なお、以下では、説明をわかりやすくするために、図２の正面図に関し、紙面手前側を「前」、紙面上部を「上」、紙面右側を「右」と称する。
【００１５】
図に示すように、本発明の盗難防止接続具１０は、２枚のプレート（第１プレート２０、第２プレート３０）を重ね、支持軸４０により相対的に回動可能（図２の矢印Ａ）に連繋して構成される。第１プレート２０及び第２プレート３０は、金属、硬質樹脂などから作成することができる。
【００１６】
第１プレート２０は、図に示すように、略Ｕ字状の外形の第１ベース板２１の一端から第１挿入片２２が突設されており、第１挿入片２２の先端には、外向き、図示の実施形態では、右向きに屈曲した第１爪２３を具える。第１ベース板２１は、第１挿入片２２の下側に支持軸４０が挿通する第１支持孔２４（図５参照）が貫通開設されている。
【００１７】
第２プレート３０は、図に示すように、略Ｕ字状の外形の第２ベース板３１の一端から第２挿入片３２が突設されており、第２挿入片３２の先端には、第１爪２３とは逆向き、図示の実施形態では、左向きに屈曲した第２爪３３を具える。第２ベース板３１は、第２挿入片３２の下側に支持軸４０が挿通する第２支持孔３４（図５参照）が貫通開設されている。
【００１８】
第２挿入片３２は、図１及び図２に示すように、第１挿入片２２と第２挿入片３２が平行になるように揃えたときに、左右に若干ずれる位置に形成されている。これは、図７に示すように開口幅７２ａの最も狭いセキュリティースロット７０に爪２３，３３を差し込む際に、第１挿入片２２に対して第２挿入片３２が傾くことで、外法を小さくするためである。
【００１９】
第１プレート２０と第２プレート３０は、図５に示すように、第１支持孔２４と第２支持孔３４を位置合わせし、たとえばリベット状の支持軸４０によって相対的に回動可能に連繋され、次に説明する位置決め手段によって第１挿入片２２と第２挿入片３２の角度が異なる状態に調整して位置決め可能となっている（図８乃至図１０参照）。
【００２０】
位置決め手段は、第１プレート２０に形成された３つの第１位置決め孔２５−２７と、第２プレート３０に形成された３つの第２位置決め孔３５−３７を例示できる。
【００２１】
第１位置決め孔２５−２７は、第１支持孔２４の下方周縁に形成された孔であり、孔を識別するために第１位置決め孔２５に番号１（以下「第１−１位置決め孔」）、第１位置決め孔２６に番号２（以下「第１−２位置決め孔」）、第１位置決め孔２７に番号３（以下「第１−３位置決め孔」）が刻印等により付されている。図示の実施形態では、第１−１位置決め孔２５は、第１支持孔２４の直下に形成し、第１−２位置決め孔２６は、第１−１位置決め孔２５の左上方、第１−３位置決め孔２７は、第１−１位置決め孔２５の右上方に形成されており、第１−１位置決め孔２５と第１−２位置決め孔２６の間隔は、第１−１位置決め孔２５と第１−３位置決め孔２７の間隔よりも短く構成している。
【００２２】
第２位置決め孔３５−３７は、第２支持孔３４の下方周縁に形成された孔であり、図示されていない第２プレート３０の後面側には、第１位置決め孔２５−２７と同様、孔を識別するための番号１（以下「第２−１位置決め孔３５」）、番号２（以下「第２−２位置決め孔３６」）、番号３（以下「第２−３位置決め孔３７」）が刻印等により付されている。第２−１位置決め孔３５と第２−２位置決め孔３６の間隔は、第２−１位置決め孔３５と第２−３位置決め孔３７の間隔よりも長く構成している。
【００２３】
図示の実施形態では、第２−１位置決め孔３５は、第２支持孔３４の直下であって、第１挿入片２２と第２挿入片３２を後述する図８に示すように平行にしたときに、第１−１位置決め孔２５と整列する位置に形成している。そして、第１−１位置決め孔２５と第２−１位置決め孔３５を揃えたときに、第１挿入片２２と第２挿入片３２の外法は、最も狭いセキュリティースロット７０の開口幅７２ａである４．５ｍｍとなるようにしている。
【００２４】
また、第２−２位置決め孔３６は、第２−１位置決め孔３５の左上であって、第１プレート２０と第２プレート３０を相対的に回動させて、第２−２位置決め孔３６を第１−２位置決め孔２６と整列させたときに、図９に示すように、第１挿入片２２に対して第２挿入片３２が角度変化して傾き、これらの外法が、最も広いセキュリティースロット７０の開口幅７２ｂである７ｍｍとなる位置に形成している。
【００２５】
さらに、第２−３位置決め孔３７は、第２−２位置決め孔３６の右上であって、第１プレート２０と第２プレート３０を相対的に回動させて、第２−３位置決め孔３７を第１−３位置決め孔２７と整列させたときに、図１０に示すように、第１挿入片２２に対して第２挿入片３２が角度変化して傾き、これらの外法が、中間幅のセキュリティースロット７０の開口幅７２ｃである６ｍｍとなる位置に形成している。
【００２６】
上記において、第１−１位置決め孔２５と第２−１位置決め孔３５、第１−２位置決め孔２６と第２−２位置決め孔３６、第１−３位置決め孔２７と第２−３位置決め孔３７の何れかが整列しているときには、他の孔の組み合わせは完全には整列しない、或いは、全く重ならない大きさ、位置に設けられている。
【００２７】
本発明の盗難防止接続具１０は、追加の構成として、電子機器に関連するケーブル、たとえば、マウスケーブルやキーボードケーブル、電源ケーブル等の各種ケーブル８０も同時にロックして、マウスやキーボード等の盗難を防止するケーブル止め１２を配備することができる。具体的には、ケーブル止め１２は、第１ベース板２１に形成され、第１支持孔２４の左側に開口し、下方から延びる抜止め２８によって下向きに広がる空間が形成された第１ケーブル挿入部２９と、第２ベース板３１の左側に開口し、略Ｕ字状に凹んだ第２ケーブル挿入部３９を具える。第１ケーブル挿入部２９と第２ケーブル挿入部３９は、位置決め孔２５と３５、２６と３６又は２７と３７どうしを整列させたときに、開口が閉じてケーブル８０の引抜きを防止し、図６に矢印Ｂで示すように、第１プレート２０を左向きに回転させたときに、挿入部２９，３９の開口が開いて、ケーブル８０を矢印Ｃ方向に挿入又は反対に引き抜けるようにしている。
【００２８】
以下、本発明の盗難防止接続具１０の使用方法について説明する。なお、図７乃至図１０において、符号７０は、電子機器に形成されたセキュリティースロットである。セキュリティースロット７０は、電子機器の外装ケーシングに形成された溝であり、開口部分には内向きに突片７３，７３が形成されている。図７及び図８のセキュリティースロット７０は、開口幅７２ａ（突片７３，７３間の内法、以下同じ）が狭い４．５ｍｍ、図９は開口幅７２ｂが最も広い７ｍｍ、図１０は開口幅７２ｃが中間幅である６ｍｍのものを示している。
【００２９】
まず、キーボード等も同時に盗難防止するには、予め上記した図６の要領で挿入部２９，３９にケーブル８０を通しておく。
【００３０】
この状態から、図７に示すように、第１プレート２０と第２プレート３０を相対的に僅かに回転させて、第１挿入片２２と第２挿入片３２の外法を短くする。そして、第１爪２３及び第２爪３３が突片７３，７３を超えて完全にセキュリティースロット７０に入るまで押し込む。
【００３１】
図８では、セキュリティースロット７０の開口幅７０ａが狭いから、第１プレート２０と第２プレート３０は、第１−１位置決め孔２５と第２−１位置決め孔３５を整列させて、第１挿入片２２と第２挿入片３２を略平行とする。これにより、第１爪２３と第２爪３３がセキュリティースロット７０の突片７３，７３に内側から引っ掛かり、盗難防止接続具１０がセキュリティースロット７０に装着される。この状態で、整列状態にある第１−１位置決め孔２５と第２−１位置決め孔３５にセキュリティーワイヤー付き錠又はセキュリティーワイヤー（何れも図示せず）を挿入し、柱などの固定物にセキュリティーワイヤーを通すことで、盗難防止接続具１０は第１プレート２０と第２プレート３０の相対的な回転が阻止され、また、セキュリティーワイヤーによって固定物に取り付けられることで、セキュリティースロット７０の設けられた電子機器の盗難を防止できる。
【００３２】
図９では、セキュリティースロット７０の開口幅７２ｂが広いから、第１爪２３及び第２爪３３をセキュリティースロット７０に挿入した後、第１プレート２０と第２プレート３０を相対的に回転させ、第１−２位置決め孔２６と第２−２位置決め孔３６を整列させて、第１挿入片２２に対して第２挿入片３２を大きく傾ける。これにより、第１爪２３と第２爪３３がセキュリティースロット７０の突片７３，７３に内側から引っ掛かり、盗難防止接続具１０がセキュリティースロット７０に装着される。この状態で、整列状態にある第１−２位置決め孔２６と第２−２位置決め孔３６にセキュリティーワイヤー付き錠又はセキュリティーワイヤーを挿入し、柱などの固定物にセキュリティーワイヤーを通せばよい。
【００３３】
図１０は、中間幅の開口幅７０ｃのセキュリティースロット７０への適用である。この場合、第１爪２３及び第２爪３３をセキュリティースロット７０に挿入した後、第１プレート２０と第２プレート３０を相対的に回転させ、第１−３位置決め孔２７と第２−３位置決め孔３７を整列させて、第１挿入片２２に対して第２挿入片３２を傾ければよい。これにより、第１爪２３と第２爪３３がセキュリティースロット７０の突片７３，７３に内側から引っ掛かり、盗難防止接続具１０がセキュリティースロット７０に装着される。この状態で、整列状態にある第１−２位置決め孔２６と第２−２位置決め孔３６にセキュリティーワイヤー付き錠又はセキュリティーワイヤーを挿入し、柱などの固定物にセキュリティーワイヤーを通せばよい。
【００３４】
上記のように、本発明の盗難防止接続具１０によれば、１の器具により、開口幅の異なる複数のセキュリティースロット７０に装着することができる。従って、セキュリティースロット７０に応じて適合した盗難防止接続具１０を準備することや、セキュリティースロット７０の種類に応じて複数の盗難防止接続具１０を準備する必要はなくなる。
【００３５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３６】
たとえば、第１プレート２０、第２プレート３０の形状や大きさ、位置決め孔２５−２７，３５−３７の位置、適合するセキュリティースロット７０の開口幅等は一例であり、図示の実施形態に限定されるものではないことは理解されるべきである。たとえば、位置決め孔は、何れか一方のプレートの孔を共用する構成や、位置決め孔を長孔とする構成としてもよい。
【符号の説明】
【００３７】
１０  盗難防止接続具
２０  第１プレート
２１  第１ベース板
２２  第１挿入片
２３  第１爪
２５−２７  第１位置決め孔
３０  第２プレート
３１  第２ベース板
３２  第２爪
３５−３７  第２位置決め孔
７０  セキュリティースロット
７２  開口幅
【図１】
2019105109.tif 000003
【図２】
2019105109.tif 000004
【図３】
2019105109.tif 000005
【図４】
2019105109.tif 000006
【図５】
2019105109.tif 000007
【図６】
2019105109.tif 000008
【図７】
2019105109.tif 000009
【図８】
2019105109.tif 000010
【図９】
2019105109.tif 000011
【図１０】
2019105109.tif 000012